(57)【要約】【課題】拭き布を新しいものと交換し又は表裏反転させる頻度を最小限にとどめると共に拭き布の表裏全面を無駄なく使用することができるようにした新規な拭き具を提供する。【解決手段】保持体１と、該保持体に備えさせたハンドル３と、該保持体の下面に着脱自在に取り付けた拭き布５とよりなり、該拭き布は折畳自在の略長方形状となし、該拭き布における一辺の長さは該保持体における対応長さの３倍以上であることを特徴とする拭き具。保持体と、該保持体に備えさせたハンドルと、該保持体の下面に備えさせた面ファスナーと、該面ファスナーを介して該保持体の下面に着脱自在に取り付けた拭き布とよりなり、該拭き布の長さは該保持体における対応長さの２倍以上であることを特徴とする拭き具。【選択図】図１
0003117269.tif 000002
【実用新案登録請求の範囲】
【請求項１】
保持体と、該保持体に備えさせたハンドルと、該保持体の下面に着脱自在に取り付けた拭き布とよりなり、
該拭き布は折畳自在の略長方形状となし、該拭き布における一辺の長さは該保持体における対応長さの３倍以上であることを特徴とする拭き具。
【請求項２】
保持体と、該保持体に備えさせたハンドルと、該保持体の下面に備えさせた面ファスナーと、該面ファスナーを介して該保持体の下面に着脱自在に取り付けた拭き布とよりなり、
該拭き布の長さは該保持体における対応長さの２倍以上であることを特徴とする拭き具。
【考案の詳細な説明】
【技術分野】
【０００１】
本考案は、拭き具に関するものであり、例えば、建物の床面、壁面、窓ガラスその他の部分、更には、家具、自動車等（以下「被清掃物」という。）を拭くための拭き具に係るものである。
【背景技術】
【０００２】
拭き具としては、例えば実開平６−４１６５８号公報に示すように、ハンドルを備えた保持体における下面から両側面を経て上面まで拭き布を巻き付け、該拭き布の両縁を保持体の上面にて固定してなるものが既に知られている。
【特許文献１】実開平６−４１６５８号公報
【考案の開示】
【考案が解決しようとする課題】
【０００３】
上記従来の拭き具においては、使用により拭き布が汚れたときには、該拭き布を新しいものと交換し又は表裏反転させなければならない。
【０００４】
しかるに、上記従来の拭き具においては、拭き布の一面における使用可能な部分全体が同時に使用されるため、当該部分全体が同時に短時間で汚れることになる。従って、拭き布を新しいものと交換し又は表裏反転させる頻度が高くなり、極めて面倒である。
【０００５】
また、上記従来の拭き具においては、拭き布における汚れる部分は保持体の下面に対応する部分のみであり、保持体の側面と上面とに対応する部分には汚れが付着しない。即ち、拭き布は、汚れていない部分があるにもかかわらず拭き布全体を交換し又は表裏反転しなければならないという無駄が生ずる。
【０００６】
本考案は、上記従来の拭き具における上述の如き問題を解決し、拭き布を新しいものと交換し又は表裏反転させる頻度を最小限にとどめると共に拭き布の表裏全面を無駄なく使用することができるようにした新規な拭き具を提供しようとしてなされたものである。
【課題を解決するための手段】
【０００７】
上記課題を解決するために、本考案は、下記の拭き具を提供する。
【０００８】
（１）保持体と、該保持体に備えさせたハンドルと、該保持体の下面に着脱自在に取り付けた拭き布とよりなり、
該拭き布は折畳自在の略長方形状となし、該拭き布における一辺の長さは該保持体における対応長さの３倍以上であることを特徴とする拭き具（請求項１）。
【０００９】
（２）保持体と、該保持体に備えさせたハンドルと、該保持体の下面に備えさせた面ファスナーと、該面ファスナーを介して該保持体の下面に着脱自在に取り付けた拭き布とよりなり、
該拭き布の長さは該保持体における対応長さの２倍以上であることを特徴とする拭き具（請求項２）。
【００１０】
［考案の作用］
［請求項１の考案］
拭き具を使用する際には、ハンドルを手に把持し、保持体の下面に取り付けられた拭き布を被清掃物に押圧して擦るのである。
【００１１】
拭き布は、例えば、次のように折り畳んで使用する。
【００１２】
拭き布の中央部イを保持体の下面に取り付け、拭き布の一側部ロを中央部イの下側に折り畳み、拭き布の他側部ハを一側部ロの下側に折り畳み、他側部ハにより被清掃物を拭く。図７参照。
【００１３】
他側部ハが汚れたときには、他側部ハを保持体の下方から外し（図８参照）、又は他側部ハを中央部イと一側部ロとの間に入れる（図９参照）ことにより、一側部ロにより被清掃物を拭く。
【００１４】
一側部ロが汚れたときには、一側部ロと他側部ハとを広げて保持体の下方から外し（図１０参照）、中央部イにより被清掃物を拭く。
【００１５】
中央部イが汚れたときには、拭き布を表裏反転させ、以後、拭き布の裏面を上記と同様に使用する。
【００１６】
このようにして、拭き布の６面を使用する。
【００１７】
以上により、拭き布は表裏全面が無駄なく使用される。
【００１８】
［請求項２の考案］
拭き具を使用する際には、ハンドルを手に把持し、保持体の下面に取り付けられた拭き布を被清掃物に押圧して擦る。
【００１９】
拭き布は、好ましくは、保持体を拭き布の一端に寄せた状態で保持体に取り付ける。図１１参照。
【００２０】
この状態で拭き具を使用した場合には、主として拭き布における一半分（図１１における左半分）が汚れる。
【００２１】
次に、保持体が拭き布における他端に寄った状態（図１１における鎖線参照）になるように保持体に対する拭き布の位置を変えて拭き具を使用し、又は、保持体に対する拭き布の位置を変えることなく拭き布における他半分を一半分上に折り畳んで（図１２参照）拭き具を使用する。
【００２２】
しかるときは、主として拭き布における他半分（図１１における右半分）が汚れる。
【００２３】
続いて、拭き布を表裏反転させ、上記と同様に使用する。
【００２４】
以上により、拭き布は表裏のほぼ全面が無駄なく使用される。
【考案の効果】
【００２５】
［請求項１の考案］
請求項１の考案によれば、拭き布は折畳自在の略長方形状となし、該拭き布における一辺の長さは保持体における対応長さの３倍以上であるため、拭き布を少なくとも三重に折り畳んで使用し、使用面が汚れたときには順次別の面を使用し、更に拭き布を表裏反転させることにより、拭き布における少なくとも６面を順次使用することができる。即ち、拭き布の表裏全面を無駄なく使用することができ、拭き布を新しいものと交換し又は表裏反転させる頻度を最小限にとどめることができる。
【００２６】
［請求項２の考案］
請求項２の考案によれば、保持体に対する拭き布の位置を変え、又は、保持体に対する拭き布の位置を変えることなく拭き布を折り畳んで使用し、更に、拭き布を表裏反転させて使用することにより、拭き布における表裏のほぼ全面を無駄なく使用することができる。
【考案を実施するための最良の形態】
【００２７】
本考案の拭き具は、保持体１と、該保持体１に備えさせたハンドル（柄）３と、該保持体１の下面に着脱自在に取り付けた拭き布５とよりなる。
【００２８】
保持体１は、一例として略長方形状の板状体とするが、例えば略円板状体であってもよい（図６参照）。
【００２９】
ハンドル３は、一例として保持体１の上面に傾動自在に取り付けるが、例えば、図３に示すように、保持体１の上面に固定しても差し支えない。
【００３０】
拭き布５は折畳自在の略長方形状となし、該拭き布５における一辺の長さａは保持体１における対応長さｂの３倍以上である。図２、図４参照。
【００３１】
図５に示す事例においては、拭き布５における一辺の長さａは保持体１における対応長さｂの３倍以上であり、拭き布５における他辺の長さａ’は保持体１における対応長さｂ’の３倍以上である。
【００３２】
図６に示す事例においては、保持体１は略円板状体であり、拭き布５における一辺の長さａと他辺の長さａ’は、それぞれ保持体１の直径ｂ”の３倍以上である。
【００３３】
拭き布５は被清掃物の汚れを拭き取り得るものであればいかなるものであってもよい。
【００３４】
図２に示す事例においては、拭き布５は不織布であり、保持体１の下面には面ファスナー７を備えさせている。この事例においては、保持体１下面の面ファスナー７により拭き布５を保持体１の下面に固定している。
【００３５】
次に、図１１〜図１３に示す事例について説明する。
【００３６】
この事例における拭き具は、保持体１と、該保持体１に備えさせたハンドル３と、該保持体１の下面に備えさせた面ファスナー７と該面ファスナー７を介して該保持体１の下面に着脱自在に取り付けた拭き布５とよりなり、該拭き布５の長さｃは該保持体１における対応長さｄの２倍以上である。
【００３７】
拭き布５は、好ましくは不織布とするが、面ファスナー７に対し着脱自在であれば他の布であっても差し支えない。
【００３８】
この事例における保持体１と拭き布５は、それぞれ円形状をなし、拭き布５の長さｃは該拭き布５の直径であり、保持体１における対応長さｄは該保持体１における直径である。なお、保持体１と拭き布５の平面形状は、円形状に限らず、例えば略長方形状、楕円形状等であっても差し支えない。
【図面の簡単な説明】
【００３９】
【図１】本考案による拭き具の一例を示す斜視図である。
【図２】同上拭き具の正面図である。
【図３】本考案による拭き具の別の一例を示す側面図である。
【図４】保持体と拭き布との関係の一例を示す平面図である。
【図５】保持体と拭き布との関係の別の一例を示す平面図である。
【図６】保持体と拭き布との関係の更に別の一例を示す平面図である。
【図７】拭き布の使用状態の一例を示す正面図である。
【図８】拭き布の使用状態の別の一例を示す正面図である。
【図９】拭き布の使用状態の更に別の一例を示す正面図である。
【図１０】拭き布の使用状態の更に別の一例を示す正面図である。
【図１１】本考案による拭き具の別の一例における保持体と拭き布との関係の一例を示す平面図である。
【図１２】同上拭き具における保持体と拭き布との関係の別の一例を示す平面図である。
【図１３】同上拭き具を示す正面図である。
【符号の説明】
【００４０】
１  保持体
３  ハンドル
５  拭き布
７  面ファスナー
ａ  拭き布における一辺の長さ
ａ’ 拭き布における他辺の長さ
ｂ  保持体における対応長さ
ｂ’  保持体における対応長さ
ｂ”  保持体の直径
ｃ  拭き布の長さ
ｄ  保持体における対応長さ
【図１】
0003117269.tif 000003
【図２】
0003117269.tif 000004
【図３】
0003117269.tif 000005
【図４】
0003117269.tif 000006
【図５】
0003117269.tif 000007
【図６】
0003117269.tif 000008
【図７】
0003117269.tif 000009
【図８】
0003117269.tif 000010
【図９】
0003117269.tif 000011
【図１０】
0003117269.tif 000012
【図１１】
0003117269.tif 000013
【図１２】
0003117269.tif 000014
【図１３】
0003117269.tif 000015